【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
防音性を有する材料によって形成され、一の面が主面に交差する差込面とされている被差込部を含み、車両に配設されるサイレンサと、
前記サイレンサの前記主面に沿って配設された配線部材と、
前記差込面から前記被差込部に差し込まれている差込部と、前記差込部が前記被差込部に差し込まれた状態を維持する差込状態維持部とを含み、前記配線部材に取付けられている固定用部材と、
を備え、
前記サイレンサは、前記主面を有する本体部と前記被差込部とを含む形状に一体成形されている、配線部材の固定構造。
【請求項２】
防音性を有する材料によって形成され、一の面が主面に交差する差込面とされている被差込部を含み、車両に配設されるサイレンサと、
前記サイレンサの前記主面に沿って配設された配線部材と、
前記差込面から前記被差込部に差し込まれている差込部と、前記差込部が前記被差込部に差し込まれた状態を維持する差込状態維持部とを含み、前記配線部材に取付けられている固定用部材と、
を備え、
前記差込部の先端は、穴が形成されていない前記被差込部に穴を形成しつつ差込可能な先細り形状に形成されている、配線部材の固定構造。
【請求項３】
請求項１又は請求項２に記載の配線部材の固定構造であって、
前記被差込部は、前記差込面とは反対側に設けられた外面を有し、
前記差込状態維持部は、前記差込部のうち前記被差込部を貫通して前記外面の外方に延出している部分から前記外面に向けて突出する内側羽部を含む、配線部材の固定構造。
【請求項４】
請求項１から請求項３のいずれか１項に記載の配線部材の固定構造であって、
前記被差込部は、前記差込面とは反対側に設けられた外面を有し、
前記固定用部材は、前記差込部の基端に連なり前記被差込部の外方に延出する延出部をさらに含み、
前記差込状態維持部は、前記延出部のうち前記外面を越えて延出する先端側から前記外面に向けて突出する外側羽部を含む、配線部材の固定構造。
【請求項５】
請求項１から請求項４のいずれか１項に記載の配線部材の固定構造であって、
前記固定用部材は、前記差込部の基端に連なり前記被差込部の外方に延出する延出部をさらに含み、
前記差込状態維持部は、前記差込部と前記延出部とによって構成されて前記被差込部を挟持する挟持部を含む、配線部材の固定構造。
【請求項６】
請求項１から請求項５のいずれか１項に記載の配線部材の固定構造であって、
前記被差込部は、前記差込面とは反対側に設けられた外面を有し、
前記差込状態維持部は、前記差込部のうち前記被差込部を貫通して前記外面の外方に延出している部分が前記差込部のうち前記被差込部の内部に収まっている部分よりも幅広に形成された幅広部を含む、配線部材の固定構造。
【請求項７】
請求項１から請求項６のいずれか１項に記載の配線部材の固定構造であって、
前記被差込部は、前記主面より外方に突出するように形成されている、配線部材の固定構造。
【請求項８】
請求項１から請求項７のいずれか１項に記載の配線部材の固定構造であって、
前記配線部材は、偏平に形成された配線体を含み、
前記固定用部材は、前記配線体に接合されている、配線部材の固定構造。
【請求項９】
請求項１から請求項８のいずれか１項に記載の配線部材の固定構造であって、
前記配線部材は、複数の線状伝送部材を含み、
前記固定用部材は、前記差込部に連なるように形成された固定部をさらに含み、
結束部材によって前記固定部と前記複数の線状伝送部材とが結束されている、配線部材の固定構造。
【請求項１０】
請求項１から請求項９のいずれか１項に記載の配線部材の固定構造であって、
前記被差込部は前記差込面とは反対側に設けられた外面を有し、
前記差込状態維持部は、前記差込部が前記被差込部における前記差込面から差し込まれた状態で前記差込部に抜く方向の力がかけられたときに前記外面に引っかかる部分を有している、配線部材の固定構造。
【手続補正２】
【補正対象書類名】明細書
【補正対象項目名】０００６
【補正方法】変更
【補正の内容】
【０００６】
上記課題を解決するため、第１の態様に係る配線部材の固定構造は、防音性を有する材料によって形成され、一の面が主面に交差する差込面とされている被差込部を含み、車両に配設されるサイレンサと、前記サイレンサの前記主面に沿って配設された配線部材と、前記差込面から前記被差込部に差し込まれている差込部と、前記差込部が前記被差込部に差し込まれた状態を維持する差込状態維持部とを含み、前記配線部材に取付けられている固定用部材と、を備え、前記サイレンサは、前記主面を有する本体部と前記被差込部とを含む形状に一体成形されている。
【手続補正３】
【補正対象書類名】明細書
【補正対象項目名】０００７
【補正方法】変更
【補正の内容】
【０００７】
第２の態様に係る配線部材の固定構造は、防音性を有する材料によって形成され、一の面が主面に交差する差込面とされている被差込部を含み、車両に配設されるサイレンサと、前記サイレンサの前記主面に沿って配設された配線部材と、前記差込面から前記被差込部に差し込まれている差込部と、前記差込部が前記被差込部に差し込まれた状態を維持する差込状態維持部とを含み、前記配線部材に取付けられている固定用部材と、を備え、前記差込部の先端は、穴が形成されていない前記被差込部に穴を形成しつつ差込可能な先細り形状に形成されている。
【手続補正４】
【補正対象書類名】明細書
【補正対象項目名】００１４
【補正方法】変更
【補正の内容】
【００１４】
第９の態様に係る配線部材の固定構造は、第１から第８のいずれか１つの態様に係る配線部材の固定構造であって、前記配線部材は、複数の線状伝送部材を含み、前記固定用部材は、前記差込部に連なるように形成された固定部をさらに含み、結束部材によって前記固定部と前記複数の線状伝送部材とが結束されている。
第１０の態様に係る配線部材の固定構造は、第１から第９のいずれか１つの態様に係る配線部材の固定構造であって、前記被差込部は前記差込面とは反対側に設けられた外面を有し、前記差込状態維持部は、前記差込部が前記被差込部における前記差込面から差し込まれた状態で前記差込部に抜く方向の力がかけられたときに前記外面に引っかかる部分を有している。
【手続補正５】
【補正対象書類名】明細書
【補正対象項目名】０１０３
【補正方法】変更
【補正の内容】
【０１０３】
本明細書は下記の開示を含む。
第１の態様に係る配線部材の固定構造は、一の面が主面に交差する差込面とされている被差込部を含み、車両に配設されるサイレンサと、前記サイレンサの前記主面に沿って配設された配線部材と、前記差込面から前記被差込部に差し込まれている差込部と、前記差込部が前記被差込部に差し込まれた状態を維持する差込状態維持部とを含み、前記配線部材に取付けられている固定用部材と、を備える。
第２の態様に係る配線部材の固定構造は、第１の態様に係る配線部材の固定構造であって、前記差込部の先端は、穴が形成されていない前記被差込部に穴を形成しつつ差込可能な先細り形状に形成されている。
第３の態様に係る配線部材の固定構造は、第１又は第２の態様に係る配線部材の固定構造であって、前記被差込部は、前記差込面とは反対側に設けられた外面を有し、前記差込状態維持部は、前記差込部のうち前記被差込部を貫通して前記外面の外方に延出している部分から前記外面に向けて突出する内側羽部を含む。
第４の態様に係る配線部材の固定構造は、第１から第３のいずれか１つの態様に係る配線部材の固定構造であって、前記被差込部は、前記差込面とは反対側に設けられた外面を有し、前記固定用部材は、前記差込部の基端に連なり前記被差込部の外方に延出する延出部をさらに含み、前記差込状態維持部は、前記延出部のうち前記外面を越えて延出する先端側から前記外面に向けて突出する外側羽部を含む。
第５の態様に係る配線部材の固定構造は、第１から第４のいずれか１つの態様に係る配線部材の固定構造であって、前記固定用部材は、前記差込部の基端に連なり前記被差込部の外方に延出する延出部をさらに含み、前記差込状態維持部は、前記差込部と前記延出部とによって構成されて前記被差込部を挟持する挟持部を含む。
第６の態様に係る配線部材の固定構造は、第１から第５のいずれか１つの態様に係る配線部材の固定構造であって、前記被差込部は、前記差込面とは反対側に設けられた外面を有し、前記差込状態維持部は、前記差込部のうち前記被差込部を貫通して前記外面の外方に延出している部分が前記差込部のうち前記被差込部の内部に収まっている部分よりも幅広に形成された幅広部を含む。
第７の態様に係る配線部材の固定構造は、第１から第６のいずれか１つの態様に係る配線部材の固定構造であって、前記被差込部は、前記主面より外方に突出するように形成されている。
第８の態様に係る配線部材の固定構造は、第１から第７のいずれか１つの態様に係る配線部材の固定構造であって、前記配線部材は、偏平に形成された配線体を含み、前記固定用部材は、前記配線体に接合されている。
第９の態様に係る配線部材の固定構造は、第１から第８のいずれか１つの態様に係る配線部材の固定構造であって、前記配線部材は、複数の線状伝送部材を含み、前記固定用部材は、前記差込部に連なるように形成された固定部をさらに含み、結束部材によって前記固定部と前記複数の線状伝送部材とが結束されている。
各態様によると、サイレンサの差込面に固定用部材を差し込むと共に配線部材に固定用部材が取付けられることによって、固定用部材を介して配線部材をサイレンサに固定することができる。これにより、配線部材とは別に形成されたサイレンサに配線部材を容易に固定可能である。
第２の態様によると、予めサイレンサに穴を形成せずに済む。これにより、サイレンサの加工が容易となる。また、サイレンサの防音性能の低下を抑制できる。
第３の態様によると、被差込部から抜かれる向きの力が差込部にかけられた際、内側羽部が外面に引っ掛かることによって、差込部が抜けにくくなる。
第４の態様によると、被差込部から抜かれる向きの力が差込部にかけられた際、外側羽部が外面に引っ掛かることによって、差込部が抜けにくくなる。
第５の態様によると、挟持部が被差込部を挟持することによってサイレンサと固定用部材との間の摩擦力が大きくなる。このため、被差込部から抜かれる方向の力が差込部にかけられても、差込部が抜けにくくなる。また挟持部が被差込部を挟持することによって固定用部材とサイレンサとががたつき難くなる。
第６の態様によると、被差込部から抜かれる向きの力が差込部にかけられた際、幅広部が外面に引っ掛かることによって、差込部が抜けにくくなる。
第７の態様によると、被差込部の部分においてサイレンサに厚み方向に貫通する孔が形成されたり、厚みが薄くなったりすることを抑制できる。
第８の態様によると、配線体と固定用部材とを接合することによって配線部材に固定用部材を取付けることができる。
第９の態様によると、結束部材によって配線部材に固定用部材を取付けることができる。
なお、上記実施形態及び各変形例で説明した各構成は、相互に矛盾しない限り適宜組み合わせることができる。